(57)【要約】【課題】既設地下構造物の外面の付着物を地中で簡易かつ効率的に取り除くことを可能とした地中清掃装置および既設地下構造物の清掃方法を提案する。【解決手段】地下構造物１の外面を清掃する地中清掃装置３０と、地中清掃装置３０を利用した既設地下構造物の清掃方法である。地中清掃装置３０は、外面に対して垂直な軸を中心に回転する回転ドラム３１と、回転ドラム３１の地下構造物１の外面側の端面に設けられた複数の清掃ブラシ６，６，…とを備えている。【選択図】図５
2020121255.tif 000002
【特許請求の範囲】
【請求項１】
既設地下構造物の外面を清掃する地中清掃装置であって、
前記外面に対して垂直な軸を中心に回転する回転ドラムと、
前記回転ドラムの前記外面側の端面に設けられた複数の清掃ブラシと、を備えていることを特徴とする、地中清掃装置。
【請求項２】
前記回転ドラムの直径方向に沿って当該回転ドラムに取り付けられた取付部材を備え、
複数の前記清掃ブラシが、前記取付部材に並設されていることを特徴とする、請求項１に記載の地中清掃装置。
【請求項３】
複数の前記清掃ブラシが、２列配置されており、
一方の列の前記清掃ブラシと、他方の列の前記清掃ブラシとが、前記回転ドラムの直径方向でずれた位置に配置されていることを特徴とする、請求項２に記載の地中清掃装置。
【請求項４】
前記回転ドラムの周面に突設されたブラケットに清掃ブラシが取り付けられていることを特徴とする、請求項１乃至請求項３のいずれか１項に記載の地中清掃装置。
【請求項５】
請求項１乃至請求項４のいずれか１項に記載の地中清掃装置を利用して既設地下構造物の外面を清掃する既設地下構造物の清掃方法であって、
前記清掃ブラシを前記外面に押し付けた状態で前記回転ドラムを回転させるとともに、前記回転ドラムを前記外面に沿って移動させることを特徴とする、既設地下構造物の清掃方法。
【発明の詳細な説明】
【技術分野】
【０００１】
本発明は、地中清掃装置および既設地下構造物の清掃方法に関する。
【背景技術】
【０００２】
既設地下構造物に連続して新設地下構造物を構築する場合には、接合部での一体性を確保するために、既設地下構造物の外面を清掃して土砂等の付着物を除去しておく必要がある。例えば、間隔をあけて形成した壁本体部同士の間の地面を掘削するとともに壁本体部の端部を切削して継手溝を形成し、この継手溝にコンクリートを打設して連続地中壁を構築する場合には、壁本体部の端面を洗浄して付着物を除去する必要がある。
そのため、特許文献１では、掘削機により継手溝の掘削が終了した後、洗浄用の回転ブラシを備えた洗浄装置を継手溝内に吊下ろすことで、回転ブラシにより壁本体部の端面を洗浄する方法が開示されている。
また、特許文献２には、排泥ポンプと、排泥ポンプにより吸い上げた液体を噴射する吐出口とを備える洗浄装置を吊下ろし、壁本体部の端面に向けて液体を噴射することで洗浄する方法が開示されている。
特許文献１および特許文献２に記載の洗浄方法は、連続地中壁の壁本体部同士の接合部（打ち継ぎ部）における技術であるため、既設地下構造物の外面（外壁面）の清掃に適用するものでは無かった。また、特許文献１および特許文献２に記載の洗浄装置は、連続地中壁の壁厚程度の幅しか有しておらず、これを既設地下構造物の外面（外壁面）の清掃に使用すると、作業に時間がかかってしまう。
【先行技術文献】
【特許文献】
【０００３】
【特許文献１】特開２００２−２１０６４号公報
【特許文献２】特開２０１３−６８０１３号公報
【発明の概要】
【発明が解決しようとする課題】
【０００４】
本発明は、既設地下構造物の外面の付着物を地中で簡易かつ効率的に取り除くことを可能とした地中清掃装置および既設地下構造物の清掃方法を提案することを課題とする。
【課題を解決するための手段】
【０００５】
前記課題を解決する本発明は、既設地下構造物の外面を清掃するための地中清掃装置であって、前記外面に対して垂直な軸を中心に回転する回転ドラムと、前記回転ドラムの前記外面側の端面に設けられた複数の清掃ブラシとを備えている。
また、本発明の既設地下構造物の清掃方法は、前記清掃ブラシを前記外面に押し付けた状態で前記回転ドラムを回転させるとともに、前記回転ドラムを前記外面に沿って移動させることで既設地下構造物の外面を清掃するというものである。
かかる地中清掃装置および既設地下構造物の清掃方法によれば、回転ドラムに取り付けられた清掃ブラシを既設地下構造物の外面に押し当てた状態で回転ドラムを回転させることで、既設地下構造物の外面の付着物（土砂等）を欠き落とすことができる。
【０００６】
複数の前記清掃ブラシは、前記回転ドラムの直径方向に沿って当該回転ドラムに取り付けられた取付部材に並設してもよい。このようにすれば、複数の清掃ブラシが取付部材を介して取り付けられているため、回転ドラムに対してする清掃ブラシの脱着が容易となる。そのため、清掃ブラシに破損が生じた場合や清掃ブラシの仕様（太さや材質等）を変更する場合に、清掃ブラシの交換作業を容易に行うことができる。
また、複数の前記清掃ブラシを２列配置する場合には、一方の列の前記清掃ブラシと他方の列の前記清掃ブラシとが前記回転ドラムの直径方向でずれた位置に配置するとよい。このようにすれば、千鳥状に配置された清掃ブラシが回転することで、全面的に清掃することができる。
さらに、前記回転ドラムの周面に複数のブラケットが突設されている場合には、ブラケットの少なくとも一つに清掃ブラシを取り付けるとよい。このようにすることで、回転ドラムの周縁に沿って清掃ブラシが回転するため、より広い面積に対して清掃することができる。
【発明の効果】
【０００７】
本発明の地中清掃装置および既設地下構造物の清掃方法によれば、回転ドラムに取り付けられた清掃ブラシによって既設地下構造物の外面の付着物（土砂等）を欠き落とすことができるため、既設地下構造物の外面の付着物を簡易かつ効率的に取り除くことが可能となる。
【図面の簡単な説明】
【０００８】
【図１】本発明の実施形態に係る地下構造物と地盤改良体を示す断面図である。
【図２】本実施形態の地盤改良体の施工方法の掘削工程を示す断面図である。
【図３】掘削機を示す図であって、（ａ）は側面図、（ｂ）は正面図である。
【図４】（ａ）及び（ｂ）は他の形態にかかる掘削工程を示す断面図である。
【図５】本実施形態の地盤改良体の施工方法の清掃工程を示す断面図である。
【図６】地中清掃装置を示す図であって、（ａ）は側面図、（ｂ）は正面図である。
【図７】清掃ブラシを示す図であって、（ａ）は平面図、（ｂ）は側面図、（ｃ）は正面図である。
【図８】本実施形態の地盤改良体の施工方法の打設工程を示す断面図である。
【図９】（ａ）および（ｂ）は他の形態に係る清掃ブラシを示す側面図である。
【発明を実施するための形態】
【０００９】
本実施形態では、図１に示すように、既設の地下構造物１の外面に沿って地盤改良体２を形成する場合について説明する。地下構造物１は、基礎が非液状化層Ｇ３に接した状態で、地下水位ＷＬ以深の液状化層Ｇ２内に形成されている。地下構造物１は、液状化層Ｇ２が液状化した際に、地下構造物１と非液状化層Ｇ３との間に地下水が入り込み（回り込み）、浮き上がるおそれがある。地下構造物１の周囲に、非液状化層Ｇ３に下端を貫入させた地盤改良体（地中壁）２を形成すると、液状化した場合であっても、地下構造物１と非液状化層Ｇ３との間に地下水が入り込まなくなるので、地下構造物１の浮上がりを防止できる。
本実施形態の地盤改良体２は、地表から掘削機を利用して掘削した掘削溝内に流動化処理土２１を打設することにより形成する。地下構造物１の下側に地下水が入り込むことを防止するためには、地盤改良体２を地下構造物１に密着させた状態で造成する必要がある。なお、地盤改良体２は流動化処理土２１により形成する場合に限定されるものではなく、例えば原地盤や泥水等に固化材等を混合することにより形成してもよい。
【００１０】
本実施形態の地盤改良体の施工方法は、掘削工程と、清掃工程と、打設工程とを備えている。
掘削工程では、図２に示すように、掘削機３により地表ＧＬから鉛直方向に向けて地盤を掘削することにより地下構造物１の外面に近接あるいは面する掘削溝４を形成する。掘削溝４は、地下構造物１の外面と平行となるように形成する。掘削機３は、図３（ａ）および（ｂ）に示すように、下端部に二つの回転ドラム３１，３１が並設されたいわゆる水平多軸掘削機である。回転ドラム３１は、地下構造物１の外面に対して垂直な水平軸３２を中心に回転する。一対の回転ドラム３１，３１は、逆方向に回転する。なお、回転ドラム３１の回転方向は限定されるものではない。各回転ドラム３１の周面には、複数のカッタビット３３，３３，…が設けられており、回転ドラム３１が回転することでカッタビット３３により地山の切削が行われる。複数のカッタビット３３は、回転ドラム３１の周面に突設された複数のブラケットに取り付けられている。
【００１１】
掘削機３は、図２に示すように、掘削ロッド５１を介してベースマシン５により支持された状態で、地下構造物１の外面に沿って地山を切削する。なお、掘削機３の支持方法は限定されるものではなく、例えば、図４（ａ）に示すように、吊ワイヤー５３を介してクレーン（揚重機）５２により吊持してもよい。地山の掘削に伴い、掘削溝４内には孔壁面の崩落を防止するための安定液を供給する。安定液の材質は限定されるものではないが、例えば、ベントナイト溶液を使用する。
初期掘削時には、地下構造物１に掘削機３が接触することがないように、地下構造物１から所定の間隔（例えば、１０ｃｍ程度）をあけて掘削を開始する。所定の深さまで初期掘削を行ったら、掘削機３の地下構造物１と反対側の側面にスペーサー（あんこ）と取り付けた状態で、初期掘削時よりも地下構造物１に掘削機３を近づけた位置で地山を切削する（二次掘削）。このとき、初期掘削により形成された掘削溝４の地下構造物１と反対側の溝壁にスペーサーを当接された状態で切削を行う。
なお、二次掘削は、図４（ｂ）に示すように、初期掘削により形成された掘削溝４にガイド材４１を配設した状態で行ってもよい。ガイド材４１は、例えばＨ形鋼により構成されていて、掘削溝４内において鉛直に立設される。なお、ガイド材４１を構成する材料は限定されるものではなく、例えば、溝形鋼やＬ形鋼であってもよい。
このように、掘削機３を利用した地山の掘削作業を繰り返すことにより、地下構造物１に近接した掘削溝４を形成する。
【００１２】
清掃工程では、地下構造物１の掘削溝４側の外面を清掃する。本実施形態では、図５に示すように、掘削工程において使用した掘削機３を利用して、地下構造物１の外面の付着物Ｇ４を撤去（清掃）する。すなわち、本実施形態では、掘削機３を地下構造物１の外面を清掃する地中清掃装置３０として使用する。なお、地中清掃装置３０は、掘削機３とは別の装置でもよい。
清掃工程では、図６に示すように、まず、回転ドラム３１の地下構造物１側の端面に複数の清掃ブラシ６，６，…を設置する。複数の清掃ブラシ６，６，…は、取付部材６１を介して回転ドラム３１に取り付ける。回転ドラム３１には、外面に凹部が形成されており、図６（ａ）に示すように、断面コ字状を呈している。取付部材６１は、回転ドラム３１の凹部に配置する。回転ドラム３１に取付部材６１を固定した状態では、清掃ブラシ６の先端が回転ドラム３１の端面から突出する。取付部材６１は、回転ドラム３１の直径に沿って回転ドラム３１に取り付けられている。複数の清掃ブラシ６，６，…は、取付部材６１に並設されている。本実施形態では、二つの取付部材６１，６１を回転ドラム３１に固定することで、清掃ブラシ６，６，…が、２列配置されている。一方の取付部材６１に並設された清掃ブラシ６と、他方の取付部材６１の並設された清掃ブラシ６は、回転ドラム３１の直径方向でずれた位置に配置されている。そのため、清掃ブラシ６は、図６（ｂ）に示すように、正面視で千鳥状に配置されている。また、本実施形態では、回転ドラム３１の周面に突設された複数のブラケットのうち、地下構造物１側に配設されたブラケットの一部にも清掃ブラシ６が取り付けられている。本実施形態では、取付部材６１の延長線上に配置されたブラケットに清掃ブラシ６を取り付ける。
【００１３】
取付部材６１は、図７（ａ）〜（ｃ）に示すように、ブラシ取付部６２と、固定部６３とを備えている。ブラシ取付部６２は、Ｌ型鋼により構成されている。固定部６３は、帯状の鋼板により構成されている。ブラシ取付部６２の一方の片には、清掃ブラシ６の基部が固定されている。ブラシ取付部６２の他方の片は、固定部６３の板面に重ねられた状態で、固定部６３に溶接されている。ブラシ取付部６２と固定部６３との固定方法は限定されるものではなく、例えば、ボルト等により固定してもよい。本実施形態では、固定部６３同士を重ねた状態で、一対の取付部材６１を回転ドラム３１に固定する。なお、取付部材６１の構成は限定されるものではない。例えば、取付部材６１は必ずしもブラシ取付部６２と固定部６３とを有している必要はなく、１つの鋼材により構成されていてもよい。
清掃ブラシ６には、ワイヤーブラシを使用する。ワイヤーブラシは、ワイヤーロープを所定の長さに切断した後、一方の端部（基端部）を管材等に固定することにより形成すればよい。本実施形態では、清掃ブラシ６の長さが１６０ｍｍと２６０ｍｍ、清掃ブラシ６の径が２１ｍｍまたは２６ｍｍの４種類を使用する。なお、ワイヤーブラシの長さ及び径は限定されるものではなく、適宜決定すればよい。なお、清掃ブラシ６は、ワイヤーブラシに限定されるものではなく、例えば、ナイロンブラシを使用してもよい。また、ワイヤーブラシを構成する材料は、例えば、鉄、ステンレス、真鍮等を使用すればよい。また、清掃ブラシ６の形成方法は限定されるものではない。
【００１４】
回転ドラム３１に清掃ブラシ６を設置したら、図５に示すように、掘削機３（地中清掃装置３０）を掘削溝４内に挿入し、地下構造物１の外面の清掃を行う。地下構造物１の外面の清掃（地下構造物１の外面に付着した付着物Ｇ４の撤去）は、清掃ブラシ６を地下構造物１の外面に押し付けた状態で回転ドラム３１を回転させるとともに、掘削機３（回転ドラム３１）を地下構造物１の外面に沿って移動させることにより行う。このとき、掘削機３は、地下構造物１と反対側の側面に取り付けたスペーサーを介して、掘削溝４の溝壁から反力を取る。なお、ガイド材４１を使用して掘削溝４を形成した場合には、掘削時に使用したガイド材４１から反力を取ればよい。
地下構造物１の外面の清掃は、地下構造物１の外面に対する超音波測定により清掃状況を確認しながら行う。清掃状況に応じて、適宜清掃ブラシ６の長さや径を変更する。例えば、付着物Ｇ４の量が多い場合には、清掃ブラシ６として、径が大きいものを使用する。また、地下構造物１と掘削機３（地中清掃装置３０）との離隔が大きい場合には、清掃ブラシ６として長尺のものを使用する。
【００１５】
打設工程では、図８に示すように掘削溝４内に流動化処理土２１を注入する。流動化処理土２１は、トレミー管２２を利用して、掘削溝４の底面から流し込む。流動化処理土２１を底面から流し込むことで、掘削溝４内の安定液が、掘削溝４上端から流出して流動化処理土２１に置き換えられる。流動化処理土２１の上昇に伴い、トレミー管２２も上昇させる。本実施形態では、図１に示すように、地盤改良体２の上端が地下構造物１の上端と同じ高さとなるように、流動化処理土２１を打設する。なお、地盤改良体２の高さは限定されるものではなく、例えば、掘削溝４の全高にわたって流動化処理土２１を打設してもよい。
流動化処理土２１が硬化することで、地下構造物１に密着した地盤改良体２が形成される。
【００１６】
本実施形態の地中清掃装置３０およびこれを利用した既設地下構造物の清掃方法によれば、回転ドラム３１に取り付けられた清掃ブラシ６により地下構造物１の外面の付着物Ｇ４（土砂等）を欠き落とすことができる。清掃ブラシ６は、所定の強度と柔軟性を有しているため、地下構造物１の外面に押し当てた状態で回転ドラム３１を回転させても地下構造物１の外面を傷つけることなく、付着物Ｇ４を欠き落とすことができる。
また、複数の清掃ブラシ６は、取付部材６１を介して回転ドラム３１に取り付けられているため、回転ドラム３１からの脱着が容易である。そのため、掘削工程で使用した掘削機３を地中清掃装置３０として利用することができ、その結果、設備費の低減化を図ることができる。また、清掃ブラシ６に破損が生じた場合や清掃ブラシ６の仕様（清掃ブラシ６の太さや材質等）を変更する場合に、清掃ブラシ６の交換作業を容易に行うことができる。
また、清掃ブラシ６を千鳥状に複数列（２列）配置しているため、回転ドラム３１の回転により地下構造物１を面的に清掃することができる。そのため、地下構造物１の外面を効率的に清掃することができる。
また、回転ドラム３１の周面にも清掃ブラシ６を取り付けているため、回転ドラム３１の周縁に沿って清掃ブラシ６が回転することで、より広い面積に対して清掃することができ、その結果、作業の効率化を図ることができる。
【００１７】
以上、本発明の実施形態について説明したが、本発明は、前述の実施形態に限られず、各構成要素については、本発明の趣旨を逸脱しない範囲で、適宜変更が可能である。
前記実施形態では、清掃ブラシ６を取付部材６１を介して回転ドラム３１に固定する場合について、説明したが、清掃ブラシ６は、直接回転ドラム３１に固定してもよい。
前記実施形態では、二つの取付部材６１を利用して、清掃ブラシ６を２列配置する場合について説明したが、必ずしも複数の取付部材６１を使用する必要はない。例えば、図９（ａ）に示すように、溝形鋼等からなる1つの取付部材６１に清掃ブラシ６を複数段固定してもよい。また、図９（ｂ）に示すように、一対のブラシ取付部６２，６２と、固定部６３とからなる取付部材６１を利用して、清掃ブラシ６を２列配置してもよい。
清掃ブラシ６の列数は限定されるものではなく、例えば１列であってもよいし、３列以上であってもよい。
【符号の説明】
【００１８】
１    地下構造物（既設地下構造物）
２    地盤改良体
３    掘削機
３０  地中清掃装置
３１  回転ドラム
４    掘削溝
６    清掃ブラシ
６１  取付部材
【図１】
2020121255.tif 000003
【図２】
2020121255.tif 000004
【図３】
2020121255.tif 000005
【図４】
2020121255.tif 000006
【図５】
2020121255.tif 000007
【図６】
2020121255.tif 000008
【図７】
2020121255.tif 000009
【図８】
2020121255.tif 000010
【図９】
2020121255.tif 000011